(57)【要約】  巻き付け可能な織物スリーブおよびそれを構築する方法が提供される。スリーブは、両端部間でスリーブの中央長手軸に沿って長手方向に延びる、対向する内側縁部および外側縁部を有する織物壁部を備える。対向する内側縁部および外側縁部は、内側管状空洞を形成するために、互いに重畳する関係に巻き付け可能である。壁部は、対向する内側縁部および外側縁部のうちの一方で互いに取り付けられた関係に織られた最も内側の織物層および最も外側の織物層を有する。反射層は、最も内側の織物層と最も外側の織物層との間に挟まれ、これにより、最も外側の層の織物層が下の反射層を磨耗から保護するようにする。
2017520435.tif 000002
【特許請求の範囲】
【請求項１】
巻き付け可能な織物スリーブであって、
前記スリーブの中央長手軸に沿って両端部間を長手方向に延びる、対向する内側縁部および外側縁部を有する織物壁部を備え、前記対向する内側縁部および外側縁部は、内側管状空洞を形成するために、互いに重畳する関係に巻き付け可能であり、前記壁部は、前記対向する内側縁部および外側縁部のうちの一方で互いに取り付けられた関係に織られた最も内側の織物層および最も外側の織物層を有し、前記巻き付け可能な織物スリーブはさらに、
前記最も内側の織物層と前記最も外側の織物層との間に挟まれた反射層を備える、巻き付け可能な織物スリーブ。
【請求項２】
前記最も内側の織物層および前記最も外側の織物層は、前記内側縁部と外側縁部との間で互いから分離される、請求項１に記載の巻き付け可能な織物スリーブ。
【請求項３】
前記最も内側の織物層および前記最も外側の織物層は、前記内側縁部および外側縁部のうちの一方以外で全体的に互いから分離される、請求項２に記載の巻き付け可能な織物スリーブ。
【請求項４】
前記最も内側の層および前記最も外側の層の各々は、前記中央長手軸に概して平行に長手方向に延びる縦糸と、前記対向する縁部間で前記長手軸に概して横方向に延びる横糸とを有し、前記横糸は、前記対向する縁部をそれらが重畳する関係になるように、前記壁部上に付勢を印加するヒートセットされた熱可塑性糸を有する、請求項１に記載の巻き付け可能な織物スリーブ。
【請求項５】
前記最も内側の層の前記縦糸は、絶縁性マルチフィラメントを含む、請求項４に記載の巻き付け可能な織物スリーブ。
【請求項６】
前記最も外側の層の前記縦糸は、モノフィラメントを含む、請求項５に記載の巻き付け可能な織物スリーブ。
【請求項７】
前記最も外側の層の前記縦糸は、モノフィラメントを含む、請求項４に記載の巻き付け可能な織物スリーブ。
【請求項８】
前記反射層は、前記最も内側の織物層および前記最も外側の織物層のうちの一方に結合される、請求項１に記載の巻き付け可能な織物スリーブ。
【請求項９】
巻き付け可能な織物スリーブを構築する方法であって、
長手軸に沿って両端部間を長手方向に延びる壁部を織ることと、
反射層を前記壁部に取り付けることと、
前記壁部の最も内側の層および前記壁部の最も外側の層を形成するために、前記壁部をそれ自体が重畳する関係に折り重ね、前記反射層を前記最も内側の層と前記最も外側の層との間に挟むこととを備える、方法。
【請求項１０】
前記壁部を、前記長手軸に概して平行に長手方向に延びる縦糸と、前記対向する縁部間で前記長手軸に概して横方向に延びる横糸とで織ることと、
前記壁部上に付勢を印加し、前記壁部の対向する長手方向に延びる縁部を互いに重畳する関係にするために、少なくともいくつかの前記横糸をヒートセットすることとを含む、請求項９に記載の方法。
【請求項１１】
前記最も内側の層の前記縦糸を、絶縁性マルチフィラメントで織ることをさらに含む、請求項１０に記載の方法。
【請求項１２】
前記最も外側の層の前記縦糸を、モノフィラメントで織ることをさらに含む、請求項１１に記載の方法。
【請求項１３】
前記最も外側の層の前記モノフィラメントを、透明モノフィラメントとして提供することをさらに含む、請求項１２に記載の方法。
【請求項１４】
前記最も外側の層の前記縦糸を、モノフィラメントで織ることをさらに含む、請求項１０に記載の方法。
【請求項１５】
前記反射箔層を、前記最も内側の織物層および前記最も外側の織物層のうちの一方に結合することをさらに含む、請求項９に記載の方法。
【請求項１６】
前記壁部を、狭い織機上で織ることをさらに含む、請求項９に記載の方法。
【発明の詳細な説明】
【技術分野】
【０００１】
関連出願の相互参照
本出願は、２０１４年７月１６日出願された米国仮出願第米国特許第６２／０２５３３９号および２０１５年７月１６日に出願された米国特許出願第１４／８０１１７５号の利益を主張し、その全体が参照により本明細書に引用される。
【０００２】
発明の背景
１．発明の技術分野
本発明は、自動車、航空宇宙およびその他の用途にワイヤーハーネス、チューブ、パイプ、ホースと同様の細長い構造をカバーするために使用され、熱の影響や摩耗からそれらを保護するための一般的なタイプの織物スリーブに関し、より特定的には、そのようなアイテムを保護するために互いに重畳する関係に巻き付け可能な対向する縁部を有する織物スリーブおよびそれらの構築方法に関する。
【背景技術】
【０００３】
２．関連技術
巻き付け可能な織物スリーブは、そこに含まれる細長い部材に対する熱保護を提供することが知られている。巻き付け可能な織物スリーブは、内側絶縁部層と、内側絶縁部層の外表面に結合された最も外側の反射箔層を含むことが知られている。これらの既知のスリーブは、その当初の製造時に損傷されていない状態での使用の際には一般的に有効であるが、最も外側の反射箔層は、環境に対してその全体が表に露出しているために、飛行破片または隣接する部品によって引き裂かれることなどによって、誤って損傷され得る。最も外側の箔層が破損した場合、ダイスリーブの熱シールド特性の全体的な有効性が損なわれることになり得、このため、その中に遮蔽されている細長い部材は、望ましくない熱的影響に曝露され得る。
【発明の概要】
【課題を解決するための手段】
【０００４】
発明の概要
耐摩耗性および放射熱に対して反射性である巻き付け可能な織物スリーブが提供される。スリーブは、両端部の間にスリーブの中心長手軸に沿って長手方向に延在する対向する内側縁部および外側縁部を有する織物壁部を含む。対向する内側縁部と外側縁部とは、内側管状空洞を形成するように互いに重畳する関係に巻き付け可能である。壁部は、対向する内側縁部および外側縁部の一方で、互いに取り付けられた関係で織られる最も内側の織物層と最も外側の織物層とを有する。反射層は、最も外側の織物層が摩耗に対してその下の反射層に保護を提供し、これによりスリーブ内に含まれる部材を外部放射熱への暴露に対して遮蔽するための反射層の最大性能を維持するために、最も内側の織物層と最も外側の織物層の間に挟まれる。
【０００５】
本発明の別の態様によれば、最も内側の織物層と最も外側の織物の層は、内側縁部と外側縁部との間で、互いから分離される。
【０００６】
本発明の別の態様によれば、最も内側の織物層と最も外側の織物層とは、内側縁部および外側縁部の一方以外で、その全体が互いから分離される。
【０００７】
本発明の別の態様によれば、最も内側の層と最も外側の層の各々は、概して中心長手軸に平行に長手方向に延在する縦糸と、両縁部の間で長手軸に対して概して横方向に延在する横糸とを有し、横糸は、対向する縁部を互いに重畳する関係にするために、壁部に付勢を付与するためのヒートセットされた熱可塑性糸を含む。
【０００８】
本発明の別の態様によれば、最も内側の層の縦糸は、絶縁性マルチフィラメントを含む。
【０００９】
本発明の別の態様によれば、最も外側の層の縦糸は、モノフィラメントを含む。
本発明の別の態様によれば、最も外側の層におけるモノフィラメント縦糸は透明である。
【００１０】
本発明の別の態様によれば、反射箔層は、最も内側の織物層と最も外側の織物層のうちの一方に結合する。
【００１１】
本発明の別の態様によれば、巻き付け可能な織物スリーブを構築する方法が提供される。方法は、対向する端部の間に長手軸に沿って長手方向に延びる壁部を織ることを含む。方法は、さらに、壁部に反射層を取り付け、壁部の最も内側の層と最も外側の層との間に反射層を挟んで最も内側の相と最も外側の層とを形成するために、壁部をそれ自体が重なる関係に折り重ねることを含む。
【００１２】
方法の別の態様によれば、本発明は、概ね長手軸に平行に長手方向に延びる縦糸と、対向する縁部の間で長手軸に対して概ね横方向に延びる横糸とで壁部を織り、壁部に付勢を付与し対向する縁部を互いに重畳する関係にするように、横糸の少なくともいくつかをヒートセットすることをさらに含む。
【００１３】
本発明の他の態様によれば、方法はさらに、最も内側の層の縦糸を、絶縁性マルチフィラメントで織ることを含む。
【００１４】
本発明の別の態様によれば、方法はさらに、最も外側の層の縦糸を、モノフィラメントで織ることを含む。
【００１５】
本発明の別の態様によれば、方法は、最も外側の層のモノフィラメント縦糸を、透明のモノフィラメントとして提供することをさらに含み、これにより下の反射層が、それを通って可視となる。
【００１６】
本発明の別の態様によれば、方法はさらに、最も内側の織物層と最も外側の織物層との少なくとも一方と、反射箔層を接合することを含む。
【００１７】
本発明の別の態様によれば、方法は、壁部を狭い織物織機で織ることをさらに含む。
図面の簡単な説明
これらおよび他の態様、発明の特徴および利点は、ここで、添付の特許請求の範囲および添付の図面、現在好ましい実施形態の以下の詳細な説明および最良の形態に関連して考慮したとき、より容易に理解されるであろう。
【図面の簡単な説明】
【００１８】
【図１】本発明の１つの現在好ましい実施形態に従って構成された巻き付け可能なスリーブの概略斜視図である。
【図２】巻き付けずに平坦化された構成の図１のスリーブの織られた壁部の概略端部面図である。
【図３】反射層が織られた壁部の対向する層の間に配置された、開かれた構成の織られた壁部を示す、図２と同様の図である。
【図３Ａ】反射層が壁部の対向する層の間に挟まれる、閉じた位置にある壁部の図３と同様の図である。
【図４】図１の４−４線に概ね沿った概略断面図である。
【図５】本発明の別の態様による、反射層が織られた壁部の部分に取り付けられた、「織られた状態」で示される壁部を有する、図１の織物スリーブの壁部の概略端部面図である。
【発明を実施するための形態】
【００１９】
現在好ましい実施形態の詳細な説明
図面をより詳細に参照すると、図１は、本発明の一態様に従って構成された巻き付け可能なスリーブ１０を示しており、スリーブ１０は、放射熱に対する反射性が高く、摩耗に強く、かつ高絶縁性である。スリーブ１０は、スリーブ１０の対向する端部２０、２２の間を中心長手軸１８に沿って、スリーブ１０に沿って長手方向に延びる、対向する内側および外側の縁部１４、１６を有する織物壁部１２を有する。対向する内側縁部および外側縁部１４、１６は、たとえば、限定するものではなく例として、ワイヤーハーネス、チューブまたはホースのように、その中に保護される細長い部材２６を受けるための内側管状空洞２４を形成するように、互いに重畳する関係に巻き付け可能である。壁部１２は、熱絶縁性と耐熱性であることによって、主に熱保護層として働く最も内側の織物層２８と、主に耐摩耗層として働く最も外側の織物層３０とを有する。対向する層２８、３０が、対向する内側縁部および外側縁部の一方を構成する線Ｌに沿って互いに取り付けられた関係で織られ、図示されるように、内側縁部１４を形成する直線に沿って接続されるように、最も内側と最も外側の層２８、３０は、好ましくは、単一の製織過程で一緒に織られる。最も内側の層と最も外側の層２８、３０が、中間反射層３２の対向する側で重畳する層を形成するように、スリーブ１０は、最も内側の織物層２８と最も外側の織物層３０との間に挟まれる、たとえば、アルミニウム、ステンレス鋼、銅、スズといった任意の適切な反射性金属箔のような反射層３２をさらに含む。このため、反射層３２は、両側に沿って物理的摩耗から保護され、それによって、保管、輸送、または使用中に起こり得るような不用意な損傷に対して反射層３２を保護するように作用し、さらに反射層３２の使用寿命を延ばすことにより、スリーブ１０のおよびその中に含まれる内容物２６の耐用年数を延ばす。
【００２０】
織られたスリーブ１０は、対向する端部２２、２０間で中心長手軸１８に概ね平行に長手方向に延びる糸であり、これ以後縦糸３４と称される糸と、対向する端部１４、１６の間で概ね中心長手軸１８を横切る方向に延びる糸であり、これ以後横糸または緯糸３６と称される糸とを備える。
【００２１】
絶縁性の最も内側の層２８で織られる縦糸３４は、たとえば、限定するものではなく例として、約１０００−５０００の間のデニールを有する、ガラス繊維のマルチフィラメント、シリカ、セラミック、玄武岩、アラミドまたは炭素等の熱絶縁性および／または耐熱性材料の（「o」で指定された）マルチフィラメントとして提供されている。絶縁性の最も内側の層２８で織られた横糸３６は、少なくとも部分的に、または全体的に上記のマルチフィラメントから提供されることができる。しかし、スリーブ１０を自己巻付型のスリーブとして構築する場合、最も内側の層２８の横糸３６の少なくともいくつかまたはすべては、有機ポリマー材料の糸といった、熱成形可能なまたはヒートセット可能な熱可塑性の糸として提供されることができこれらは、当技術分野でそれ自体知られており、スリーブの製造者がこのような横糸３６を湾曲した巻き付けられた状態にヒートセットすることを可能とし、ヒートセットすることは、図４に最も良く示されているように、自己カールされた閉じられた筒状の状態にスリーブ１０を維持するために、スリーブ１０の壁部１２に付勢をかけ、これにより、熱成形可能な縁部１４、１６を互いに離れるように引っ張る外部からの何らかの力が印加されずに、重畳領域３７上の対向する縁部１４、１６は、互いに重複する。そのようなヒートセット可能な糸は、約０．１０−０．４０ｍｍ間の直径を有するモノフィラメントヤーンであることができ、限定することなく例として、たとえば、ポリフェニレンサルファイド（ＰＰＳ）またはポリエチレンテレフタレート（ＰＥＴ）のような既知の適切なポリマー材料などで作られることができる。
【００２２】
耐摩耗性の最も外側の層３０で織られる縦糸および横糸３４、３６は、たとえば、限定するものではなく、０．１０−０．４０ｍｍ程度の直径を有する、ポリプロピレン（ＰＰ）、ポリフェニレンサルファイド（ＰＰＳ）、ポリエチレンテレフタレート（ＰＥＴ）のモノフィラメントといった、耐摩耗性材料のモノフィラメント（「x」で指定）として提供される。 スリーブ１０を自己巻付型スリーブで構成する場合、最も外側の層３０の横糸３６の少なくとも一部または全部が、上述のように、熱成形可能なまたはヒートセット可能な熱可塑性糸として、すなわち、限定するものではなく例として、ポリフェニレンサルファイド（ＰＰＳ）またはポリエチレンテレフタレート（ＰＥＴ）として、提供されることができる。
【００２３】
最も内側と最も外側の層２８、３０は、単一の製織過程で構成され、たとえば、しかし限定することなく、平織、バスケット織、または綾織などの任意の適切な織りパターンを有して形成することができるが、選択された織りパターンの種類に関わらず、最も外側の織物層３０の織り密度が、最も内側の層２８の織り密度よりも小さくされることができるように、最も外側の織物層３０は、比較的低い織り密度を有して織られることが好ましく、これにより、比較的大きい一般的に矩形の開口部４１が隣接するインターレースされた糸３４、３６間に形成され、反射層３２の反射面が最も外側の織物層３０を通して明らかに可視となるように、比較的低い１インチ当たりの縦糸打ち込み本数（ｐｉｃｋｓ−ｐｅｒ−ｉｎｃｈ）（縦）および１インチ当たりの横糸打ち込み本数（ｅｎｄｓ−ｐｅｒ−ｉｎｃｈ）（横）を有し、これにより、反射率、このため壁部１２の熱抵抗を高める。さらに動作可能な反射を強化するために、反射層３２、最も外側の層３０を形成する縦糸および／または横糸モノフィラメント糸３４、３６は、透明または実質的に透明な糸で提供されることができ、これにより放射熱を反射するために周囲の環境へ反射層３２の最大面積を露出させる。
【００２４】
最も内側の層または最も外側の層のそれぞれに反射層３２を取り付けることを容易にするために、反射層３２は、図３および図５の異なる実施形態で最も外側の層３０の内面として示すように、反射層３２が熱または圧力の印加を介して簡単に選択された表面に接着されることができるように、接着面３９を有して提供することができる。反射層３２はまた、取り扱い時の耐久性を向上させるために、プラスチックフィルムまたは織物スクリムに積層されてもよいことが認識されるべきである。反射箔層３２は、好ましくは、限定するものではなく例として、約０．０００３”〜０．００１５”との間の厚さを有して提供される。
【００２５】
図３および図３Ａに示す実施形態では、壁部１２は、二重層構造性能を有する狭い布織機で織られたものとして示されている。最も内側の層２８および最も外側の層３０のそれぞれは、互いに重複する関係に同時に織られており、これらの層２８、３０は、層２８、３０の両方に共通でありこれらを互いに相互接続する内側縁部１４として示される、長さ方向に延びる線Ｌに沿って延びる接続縁部を介して、製織プロセス中に互いに相互接続される。壁部１２を製織する際に、図３に示されるように、対向する最も内側の層２８および最も外側の層３０が開かれ、次に、反射層３２が、層のうちの１つに、限定ではなく例として、接着剤を介して取り付けられ、最も内側の層２８に接着しているように示されている。反射層３２を最も内側の層２８に結合することは、最も内側の層２８が最も外側の層３０を形成するモノフィラメントと比較して強化された接着面を提供するマルチフィラメント縦糸３４を含むことを考慮すれば、特に良好な結合を提供する。次に、反射層３２を最も内側の層２８に結合する際に、最も内側の層２８および最も外側の層３０は、図３Ａに示す矢印によって示されるように、閉じられたほぼ平坦な向きに折り重ねられ、これにより、層２８、３０の間に反射層を挟む。スリーブ１０は、今や、細長い部材２６の周りに巻かれる準備ができており、その際、対向する縁部１４、１６は、互いに重なる関係にされる。もちろん、上述したように、壁部１２は、織物壁部１２をマンドレルの周りにカールし、対向する内側縁部および外側縁部１４、１６を互いに重畳する関係に自動的に付勢するために、横モノフィラメント糸３６をカール構成に熱形成およびヒートセットするよう壁部１２を十分に加熱することによって、ヒートセットされることができる。
【００２６】
本発明の別の態様による構築方法では、図５に示すように、壁部１２は、ダブルフラットベッド織機で最も内側の層２８と最も外側の層３０とを互いに重畳する関係に織られるよりむしろ、壁部１２は、最も内側の層２８および最も外側の層３０が初期的に同一平面上にあり、互いにほぼ平坦であるように、平らな構成の狭い織機上で織られることができる。最も内側の層２８が反りのある絶縁性マルチフィラメント糸３４（「o」で示されている）を有し、最も外側の層３０が縦糸耐摩耗性モノフィラメント糸３４（「x」で示す）を有するように、最も内側の層２８および最も外側の層３０を形成するために、上述のような同じ縦糸および横糸が使用されることができる。そして、平らな壁部１２を製織する際、上述のように、反射層３２が取り付けられ、そして、図５の矢印によって示されるように、最も内側の層２８および最も外側の層３０が互いに重畳する関係で折り重ねられ、最も内側の層２８と最も外側の層３０との間に反射層３２が挟み込まれ、これにより両層２８、３０および外側縁部１６に共通の内側縁部１４が形成される。そして、上述したように、壁部１２は、所望される場合、熱成形され、対向する内側縁部１４および外側縁部１６を互いに重畳する関係に自動的に付勢することができる。
【００２７】
最も内側の層および最も外側の層２８、３０の間に箔３２の反射層が挟まれ、最も外側の層３０が耐摩耗性縦糸および横糸３４、３６、から織られており、比較的薄い箔３２の反射層は、出荷、設置または使用中などの損傷から保護されることができ、このため放射熱に対する不要な暴露から細長い部材２６に対して最適な保護を提供することができる。また、最も外側の層３０は、上述したように、一般に開かれた、低密度の織りパターンで織られており、最も外側の層３０の隣接するインターレースされた糸の間に形成された開口部４１を通して可視となる反射層３２の面積は最大化され、これにより、反射中間層３２の動作可能な反射の可能性を最適化する。さらに、ダイ反射層３２の動作可能な反射の可能性をさらに最大にするために、最も外側の層３０は、好ましくは透明モノフィラメントで織られている。これは、断熱、高耐熱性マルチフィラメントで織られている最も内側の層２８と結合し、放射熱が最終的に壁部１２を通過し、内部空洞２４に到達するのを抑制する、優れた熱保護特性を有するスリーブ１０を提供する。
【００２８】
明らかに、本発明の多くの修正および変形が上記の教示に照らして可能であり、任意の最終的に許可された特許請求の範囲内に具体的に説明した以外の方法で実施されることができる。
【図１】
2017520435.tif 000003
【図２】
2017520435.tif 000004
【図３】
2017520435.tif 000005
【図３Ａ】
2017520435.tif 000006
【図４】
2017520435.tif 000007
【図５】
2017520435.tif 000008
【国際調査報告】
2017520435.tif 000009
2017520435.tif 000010
2017520435.tif 000011